(57)【特許請求の範囲】
【請求項１】
（Ａ）第１の基地局により放射された第１のパイロット信号の第１及び第２のサンプルを獲得し、前記第１のサンプルは第１の時刻に生起し及び前記第２のサンプルは第２の時刻に生起する；
（Ｂ）第２の基地局により放射された第２のパイロット信号の第３及び第４のサンプルを獲得し、前記第３のサンプルは前記第１の時刻に生起し及び前記第４のサンプルは前記第２の時刻に生起する；
（Ｃ）前記第２サンプル総強度と第４サンプル総強度の差と、第１・第２の時刻での前記移動局と前記第１基地局との距離および第１・第２の時刻での前記移動局と前記第２基地局との距離の差の関数である位置重み付け項との合計が、第１の設計パラメータ以下であるかどうかを決定し；
（Ｄ）前記合計が前記第１の設計パラメータ以下であれば前記第１の基地局か
ら前記第２の基地局への前記移動局のアイドルハンドオフを開始する、
無線通信システムにおいて移動局のアイドルハンドオフを開始する方法。
【請求項２】
前記位置重み付け項（ＰＷ）の値が以下の方程式に従って決定される請求項１の方法：
ＰＷ＝［Ｍ×（ＰＯＳＡ（ｔ２）−ＰＯＳＡ（ｔ１））］−[Ｎ×（ＰＯＳＢ
（ｔ２）−ＰＯＳＢ（ｔ１））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、及びＰＯＳＢ（ｔ１）は前記第１の時刻での前記移動局の前記第１の基地局からの距離に関連する値を含む。
【請求項３】
前記位置重み付け項（ＰＷ）の値が以下の方程式に従って決定される請求項１の方法：
ＰＷ＝［Ｍ×（ＰＯＳＡ（ｔ２）−ＰＯＳＡ（ｔ１））×（ＥｅＡ（ｔ２）／ＥＡ（ｔ２））］−
[Ｎ×（ＰＯＳＢ（ｔ２）−ＰＯＳＢ（ｔ１））×（ＥｅＢ（ｔ２）／ＥＢ（ｔ２））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、ＰＯＳＢ（ｔ１）は前記第１の時刻での前記移動局の前記第１の基地局からの距離に関連する値を含み、ＥＡ（ｔ２）は前記第２のサンプルの前記総強度を含み、ＥＢ（ｔ２）は前記第４のサンプルの前記総強度を含み、ＥｅＡ（ｔ２）は前記第２のサンプルの最も早い到着の使用可能なマルチパス成分の強度を含み、及びＥｅＢ（ｔ２）は前記第４のサンプルの最も早い到着の使用可能なマルチパス成分の強度を含む。
【請求項４】
前記ＰＯＳＡ（ｔ２）が前記第２のサンプルの最も早い到着の使用可能なマルチパス成分の位相オフセットを含み、ＰＯＳＡ（ｔ１）が前記第１のサンプルの最も早い到着の使用可能なマルチパス成分の位相オフセットを含み、ＰＯＳＢ（ｔ２）が前記第４のサンプルの最も早い到着の使用可能なマルチパス成分の位相オフセットを含み、及びＰＯＳＢ（ｔ１）が前記第３のサンプルの最も早い到着の使用可能なマルチパス成分の位相オフセットを含む請求項２または３の方法。
【請求項５】
前記無線通信システムがセルラ通信システムである請求項１の方法。
【請求項６】
前記無線通信システムがＣＤＭＡシステムである請求項１の方法。
【請求項７】
前記移動局が空き状態にあり及び前記第１及び第２のパイロット信号が第１及び第２のパイロットチャンネルを含む請求項６の方法。
【請求項８】
前記サンプルの前記総強度が前記パイロットチャンネルのチップ当たりのエネルギ対前記サンプルの間に受信された前記パイロットの高々ｋの使用可能なマルチパス成分の総スペクトル密度の比率を加算することにより計算される請求項７の方法。
【請求項９】
前記移動局が前記サンプリングステップを周期的に実行する請求項１の方法。
【請求項１０】
前記第１の設計パラメータが約２．０−約３．０の範囲内の値を有する請求項１、２、３のいずれか１つの方法。
【請求項１１】
前記第２の設計パラメータが約０．８−約１．１の範囲内の値を有し、及び前記第３の設計パラメータが約１．０−約１．５の範囲内の値を有する請求項２または３の方法。
【請求項１２】
（Ａ）第１のパイロット信号を放射する第１の基地局；
（Ｂ）第２のパイロット信号を放射する第２の基地局；
（Ｃ）ソフトウェアを実行可能な集積チップを有する移動局；及び
（Ｄ）前記チップにより実行される以下の１組のソフトウェア命令：
（１）前記第１のパイロット信号の第１及び第２のサンプルを獲得し、前記第１のサンプルは第１の時刻に生起し及び前記第２のサンプルは第２の時刻に生起する；
（２）前記第２のパイロット信号の第３及び第４のサンプルを獲得し、前記第３のサンプルは前記第１の時刻に生起し及び前記第４のサンプルは前記第２の時刻に生起する；
（３）前記第２サンプル総強度と第４サンプル総強度の差と、第１・第２の時刻での前記移動局と前記第１基地局との距離および第１・第２の時刻での前記移動局と前記第２基地局との距離の差の関数である位置重み付け項との合計が、第１の設計パラメータ以下であるかどうかを決定し；
（４）もし前記合計が前記第１の設計パラメータ以下であれば前記第１の基地局から前記第２の基地局への前記移動局のアイドルハンドオフを開始する、
無線通信システムにおいてアイドルハンドオフを開始するかどうかを決定するためのシステム。
【請求項１３】
前記位置重み付け項（ＰＷ）の値が以下の方程式に従って決定される請求項１２のシステム：
ＰＷ＝［Ｍ×（ＰＯＳＡ（ｔ２）−ＰＯＳＡ（ｔ１））］−[Ｎ×（ＰＯＳＢ（ｔ２）−ＰＯＳＢ（ｔ１））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、及びＰＯＳＢ（ｔ１）は前記第１の時刻での前記移動局の前記第１の基地局からの距離に関連する値を含む。
【請求項１４】
前記位置重み付け項（ＰＷ）の値が以下の方程式に従って決定される請求項１２のシステム：
ＰＷ＝［Ｍ×（ＰＯＳＡ（ｔ２）−ＰＯＳＡ（ｔ１））×（ＥｅＡ（ｔ２）／ＥＡ（ｔ２））］−
[Ｎ×（ＰＯＳＢ（ｔ２）−ＰＯＳＢ（ｔ１））×（ＥｅＢ（ｔ２）／ＥＢ（ｔ２））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、ＰＯＳＢ（ｔ１）は前記第１の時刻での前記移動局の前記第１の基地局からの距離に関連する値を含み、ＥＡ（ｔ２）は前記第２のサンプルの前記総強度を含み、ＥＢ（ｔ２）は前記第４のサンプルの前記総強度を含み、ＥｅＡ（ｔ２）は前記第２のサンプルの最も早い到着の使用可能なマルチパス成分の強度を含み、及びＥｅＢ（ｔ２）は前記第４のサンプルの最も早い到着の使用可能なマルチパス成分の強度を含む。
【請求項１５】
前記ＰＯＳＡ（ｔ２）が前記第２のサンプルの最も早い到着の使用可能なマルチパス成分の位相オフセットを含み、ＰＯＳＡ（ｔ１）が前記第１のサンプルの最も早い到着の使用可能なマルチパス成分の位相オフセットを含み、ＰＯＳＢ（ｔ２）が前記第４のサンプルの最も早い到着の使用可能なマルチパス成分の位相オフセットを含み、及びＰＯＳＢ（ｔ１）が前記第３のサンプルの最も早い到着の使用可能なマルチパス成分の位相オフセットを含む請求項１３または１４のシステム。
【請求項１６】
前記無線通信システムがセルラ通信システムである請求項１２のシステム。
【請求項１７】
前記無線通信システムがＣＤＭＡシステムである請求項１２のシステム。
【請求項１８】
前記移動局が空き状態にあり及び前記第１及び第２のパイロット信号が第１及び第２のパイロットチャンネルを含む請求項１７のシステム。
【請求項１９】
前記サンプルの前記総強度が前記パイロットチャンネルのチップ当たりのエネルギ対前記サンプルの間に受信された前記パイロットの高々ｋの使用可能なマルチパス成分の総スペクトル密度の比率を加算することにより計算される請求項１８のシステム。
【請求項２０】
前記移動局が前記サンプリングステップを周期的に実行する請求項１２のシステム。
【請求項２１】
前記第１の設計パラメータが約２．０−約３．０の範囲内の値を有する請求項１２、１３、１４のいずれか１つのシステム。
【請求項２２】
前記第２の設計パラメータが約０．８−約１．１の範囲内の値を有し、及び前記第３の設計パラメータが約１．０−約１．５の範囲内の値を有する請求項１３または１４のシステム。
【請求項２３】
（Ａ）第１の基地局により放射された第１のパイロット信号の第１及び第２のサンプルを得るための手段、前記第１のサンプルは第１の時刻に生起し及び前記第２のサンプルは第２の時刻に生起する；
（Ｂ）第２の基地局により放射された第２のパイロット信号の第３及び第４のサンプルを得るための手段、前記第３のサンプルは前記第１の時刻に生起し及び前記第４のサンプルは前記第２の時刻に生起する；
（Ｃ）前記第２サンプル総強度と第４サンプル総強度の差と、第１・第２の時刻での前記移動局と前記第１基地局との距離および第１・第２の時刻での前記移動局と前記第２基地局との距離の差の関数である位置重み付け項との合計が、第１の設計パラメータ以下であるかどうかを決定するための手段；及び
（Ｄ）もし前記合計が前記第１の設計パラメータ以下であれば前記第１の基地局から前記第２の基地局への前記移動局のアイドルハンドオフを開始するための手段を備えた、無線通信システムにおいて移動局のアイドルハンドオフを開始するためのシステム。
【請求項２４】
前記位置重み付け項（ＰＷ）の値が以下の方程式に従って決定される請求項２３のシステム：
ＰＷ＝［Ｍ×（ＰＯＳＡ（ｔ２）−ＰＯＳＡ（ｔ１））］−[Ｎ×（ＰＯＳＢ（ｔ２）−ＰＯＳＢ（ｔ１））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、及びＰＯＳＢ（ｔ１）は前記第１の時刻での前記移動局の前記第１の基地局からの距離に関連する値を含む。
【請求項２５】
前記位置重み付け項（ＰＷ）の値が以下の方程式に従って決定される請求項２３のシステム：
ＰＷ＝［Ｍ×（ＰＯＳＡ（ｔ２）−ＰＯＳＡ（ｔ１））×（ＥｅＡ（ｔ２）／ＥＡ（ｔ２））］−
[Ｎ×（ＰＯＳＢ（ｔ２）−ＰＯＳＢ（ｔ１））×（ＥｅＢ（ｔ２）／ＥＢ（ｔ２））］
ここでＭは第２の設計パラメータであり、Ｎは第３の設計パラメータであり、ＰＯＳＡ（ｔ２）は前記第２の時刻での前記移動局の前記第１の基地局からの距離に関連する値を含み、ＰＯＳＡ（ｔ１）は前記第１の時刻での前記移動局の前記第１の基地局からの距離に関連する値を含み、ＰＯＳＢ（ｔ２）は前記第２の時刻での前記移動局の前記第２の基地局からの距離に関連する値を含み、ＰＯＳＢ（ｔ１）は前記第１の時刻での前記移動局の前記第１の基地局からの距離に関連する値を含み、ＥＡ（ｔ２）は前記第２のサンプルの前記総強度を含み、ＥＢ（ｔ２）は前記第４のサンプルの前記総強度を含み、ＥｅＡ（ｔ２）は前記第２のサンプルの最も早い到着の使用可能なマルチパス成分の強度を含み、及びＥｅＢ（ｔ２）は前記第４のサンプルの最も早い到着の使用可能なマルチパス成分の強度を含む。
【請求項２６】
前記ＰＯＳＡ（ｔ２）が前記第２のサンプルの最も早い到着の使用可能なマルチパス成分の位相オフセットを含み、ＰＯＳＡ（ｔ１）が前記第１のサンプルの最も早い到着の使用可能なマルチパス成分の位相オフセットを含み、ＰＯＳＢ（ｔ２）が前記第４のサンプルの最も早い到着の使用可能なマルチパス成分の位相オフセットを含み、及びＰＯＳＢ（ｔ１）が前記第３のサンプルの最も早い到着の使用可能なマルチパス成分の位相オフセットを含む請求項２４または２５のシステム。
【請求項２７】
前記無線通信システムがセルラ通信システムである請求項２３のシステム。
【請求項２８】
前記無線通信システムがＣＤＭＡシステムである請求項２３のシステム。
【請求項２９】
前記移動局が空き状態にあり及び前記第１及び第２のパイロット信号が第１及び第２のパイロットチャンネルを含む請求項２８のシステム。
【請求項３０】
前記サンプルの前記総強度が前記パイロットチャンネルのチップ当たりのエネルギ対前記サンプルの間に受信された前記パイロットの高々ｋの使用可能なマルチパス成分の総スペクトル密度の比率を加算することにより計算される請求項２９のシステム。
【請求項３１】
前記第１の設計パラメータが約２．０−約３．０の範囲内の値を有する請求項２３，２４または２５のシステム。
【請求項３２】
前記第２の設計パラメータが約０．８−約１．１の範囲内の値を有し、及び前記第３の設計パラメータが約１．０−約１．５の範囲内の値を有する請求項２４または２５のシステム。
【発明の詳細な説明】
【０００１】
発明の属する技術分野
本発明は一般に無線通信装置に関し、そして特に基地局間でアイドルハンドオフを開始するためのシステム及び方法に関する。
【０００２】
関連技術の記述
通信システムは、基地局所在地から物理的に離れたユーザまたは加入者所在地への情報信号の送信をできるようにすることを開発した。アナログ及びディジタルの両方法が、基地局とユーザ所在地とを接続する通信チャンネルを通してこれらの情報信号を送信するために使用された。ディジタル法は、アナログ技術に比較して、例えばチャンネルノイズ及び干渉への改善されたイミュニティ(immunity)、増加された容量及び暗号の使用による改善された通信の安全性を含むいくつかの便宜を与える傾向にある。
【０００３】
通信チャンネルを通したいずれかの方向の情報信号の送信では、情報信号はそのチャンネルを通しての効率的な送信に適する形態に変換される。情報信号の変換または変調は、結果としての被変調搬送波のスペクトルがチャンネル帯域幅以内に制限されるような方法で情報信号を基準として搬送波のパラメータを変更することを含む。受取人所在地で原メッセージ信号はチャンネルを通した伝播に続いて受信された被変調搬送波のバージョンから複製される。そのような複製は一般にメッセージの送信中に使用される変調処理の逆を使用することにより達成される。
【０００４】
変調は多重化、即ち共通のチャンネルを通した複数信号の同時送信を容易にする。多重化された通信システムは一般に、通信チャンネルに連続アクセスするよりもむしろ断続的なサービスを必要とする複数の遠隔加入者ユニットまたは移動局を含む。フルセットの加入者ユニットから選択されたサブセットと通信できるように設計されたシステムは多重アクセス通信システムと言われる。符号分割多重アクセス（ＣＤＭＡ）変調システムとして知られる、特定のタイプの多重アクセス通信システムは、スペクトル拡散技術に従って実現されることができる。スペクトル拡散システムでは、使用される変調技術は通信チャンネル内で広い周波数帯域により送信された信号の拡散をもたらす。他の多重アクセス通信システム技術は、例えば時分割多重アクセス（ＴＤＭＡ）及び周波数分割多重アクセス（ＦＤＭＡ）を含む。しかしながらＣＤＭＡ技術は、他の多重アクセス通信システム技術以上の有意な利点を提供する。多重アクセス通信システムにおけるＣＤＭＡ技術の使用は、１９９０年２月１３日発行の米国特許番号４，９０１，３０７号、標題“衛星または地上中継器使用のスペクトル拡散多重アクセス通信システム”に開示されており、これは本発明の譲受人に譲渡され、そして引用によりこの中に組み込まれる。
【０００５】
上に引用された米国特許番号４，９０１，３０７号では、それぞれトランシーバを有する多数の移動システムユーザがＣＤＭＡスペクトル拡散通信信号を使用している衛星中継器または地上基地局を介して通信する多重アクセス技術が開示される。ＣＤＭＡ変調は順番にセルラ電話に専用の周波数スペクトルが複数回再使用されることを可能にし、それはシステムユーザ容量における有意な増加をもたらす。実際、同じ周波数帯域がＣＤＭＡシステムのセルラ地理的サービスエリア（ＣＧＳＡ）内の各セルまたはセルのセクタ内で使用される。このように、ＣＤＭＡの使用は、他の多重アクセス技術を使用して遂行され得るよりもさらに高いスペクトル効率をもたらす。
【０００６】
無線通信チャンネルでは、建物、樹木、山、車及び同様なもののような環境内の障害物の存在は、移動局か基地局かにより送信された無線通信信号の反射をもたらす。この現象は、（移動局のような）いずれかの特定の無線通信受信機が（１つまたはそれ以上の基地局のような）特定の無線通信送信機により送信される単一の信号に対応する複数の信号を、複数の受信信号の各々は受信機への異なるパスを伝わって受信することができるので、マルチパス伝播環境と呼ばれる。典型的に、移動無線チャンネルはまた時間変化マルチパスチャンネルである。換言すれば、移動無線チャンネル上の理想的なパルスの送信に続いて受信されるであろうパルスストリームは、理想的なパルスが送信された時に依存する時間位置、減衰及び位相で変化するであろう。これは一部分は無線送信機と周囲の障害物との間の相対運動のためである。それはまた一部分マルチパス信号が、互いに破壊的な干渉が生起するような程度に位相シフトされる時に生起するフェージングと、そして無線通信信号上の環境効果(atmospheric effects) の結果であるパス損失とによる。
【０００７】
狭帯域変調システムでは無線通信チャンネルのマルチパス特性はしばしばシステム性能の重大な損傷をもたらす。にもかかわらずＣＤＭＡシステムでは、高速ＰＮ符号変調は、いくつかの異なる伝播パス上を伝わった単一の送信局からの信号を受信局が受信して識別することを可能とする。マルチパス信号の送信間を識別するこの能力は、そのようなシステムにおける信号フェージングの厳しさを著しく減少させる。真に、各マルチパス信号は典型的に独自のフェージング特性を示し、そして他のパス経由で到着する信号には関係なく活用されることができるので、マルチパス信号の送信間を識別するこの能力は実際ＣＤＭＡシステム内に有意な便宜を提供する。これらのマルチパス信号を活用できるようにする受信機設計は、米国特許番号５，１０９，３９０号、標題“ＣＤＭＡセルラ電話システムにおけるダイバーシティ受信機”に記述されており、これは本発明の譲受人に譲渡され、そして引用によりこの中に組み込まれる。１μｓまたはそれ以上であるマルチパス信号の位相オフセット（即ち、到着時刻）を供給されて、上に引用されたダイバーシティ受信機設計は独自の追跡と多様な(diverse) 信号の復調とを可能とする。一度復調されると、その信号はその後複合信号(composite signals) を形成するために別々にまたは結合されて使用されることができる。
【０００８】
例示的なセルラシステムが図１に描かれる。そのようなシステムは一般に複数の移動局１０、複数の基地局１２、基地局コントローラ（ＢＳＣ）１４、及び移動交換局（ＭＳＣ）１６を含む。ＭＳＣ１６は従前の公衆電話交換ネットワーク（ＰＳＴＮ）１８とインターフェイスするように構成される。ＭＳＣ１６はまたＢＳＣ１４ともインターフェイスするように構成される。ＢＳＣ１４は各基地局１２に結合される。基地局１２はまた基地局トランシーバサブシステム（ＢＳＴ）１２として知られているかもしれない。代替として、“基地局”は集合的にＢＳＣ１４及び１つまたはそれ以上のＢＴＳ１２と呼ばれてもよく、ＢＴＳ１２は“セルサイト”と呼ばれてもよく、あるいは与えられたＢＴＳ１２のセクタがセルサイトと呼ばれてもよい。移動局１０は典型的にセルラ電話機１０であり、そしてセルラ電話システムは好都合にＩＳ−９５標準に従って使用するため構成されたスペクトル拡散ＣＤＭＡシステムである。基地局１２及び移動局１０の各々は典型的に少なくとも１つのトランシーバ（図示せず）、少なくとも１つの集積チップ（図示せず）及び無線通信システム内の各々について要求される多数の機能及び演算を実行するためこれらのチップにより実施されるソフトウェア（図示せず）を含む。例えば、例のみによって無線通信信号の変復調に含まれる多くの演算は集積チップによって実施されるソフトウェアにより制御される。集積チップ実行ソフトウェアはまた、典型的にハンドオフと呼ばれる、１基地局から他への移動局制御の移転に含まれる演算の大部分をも制御する。しかしながら、当分野の技術者はそのような演算が集積チップで完全にまたは部分的に実施されるかまたは制御される必要がないことを認めるであろう。当分野の技術者はまた、トランシーバの用語がまた専用の送信機及び受信機の使用を想定することを認めるであろう。
【０００９】
システム内の各セルに関して順方向及び逆方向リンクから成る２つのリンクがある。典型的な動作中、基地局１２は移動局１０のあるものまたは全部から数組の逆方向リンク信号を受信する。移動局１０は電話呼または他の通信を処理している。与えられた基地局１２により受信された各逆方向リンク信号は、その基地局１２内で処理される。結果としてのデータはＢＳＣ１４に転送される。ＢＳＣ１４は呼資源割り当てと、基地局１２間のソフトハンドオフの統合を含む移動度(mobility)管理機能性とを供給する。ＢＳＣ１４はまた、ＰＳＴＮ１８とのインターフェイス用の追加のルーティングサービスを提供するＭＳＣ１６に受信データを送る。同様に、ＰＳＴＮ１８はＭＳＣ１６とインターフェイスし、そしてＭＳＣ１６は基地局１２から移動局１０への順方向リンク信号を順番に制御するＢＳＣ１４とインターフェイスする。
【００１０】
そこで図１に描かれた無線通信システムはＩＳ−９５に従って構成されたＣＤＭＡシステムであり、順方向及び逆方向リンクはそれぞれ順方向及び逆方向ＣＤＭＡチャンネルから成る。逆方向ＣＤＭＡチャンネルは１つまたはそれ以上の符号チャンネルを含み、それは特定のパイロットＰＮオフセットを使用してＣＤＭＡ周波数割り当てで送信され、そして多数のアクセスチャンネル及び逆方向トラフィックチャンネルから成る。逆方向ＣＤＭＡチャンネル上に送信されたデータは、ランダム誤り訂正のために畳み込み符号化され、バースト誤りからの保護のためにブロックインターリーブされ、６４アレー・ウォルシュ符号により変調され、そして送信に先立つ周期２４２−１チップの長ＰＮ符号により直列数列拡散(direct-sequence spread)される。
【００１１】
順方向ＣＤＭＡチャンネルは１つまたはそれ以上の符号チャンネルを含み、それは特定のパイロットＰＮオフセットを使用してＣＤＭＡ周波数割り当てで送信される。各基地局は順方向ＣＤＭＡチャンネルを確認するために（拡散疑似ノイズ数列と言われる）パイロットＰＮ数列の時間オフセットを使用する。時間オフセットはＣＤＭＡシステム内で再使用されることができる。順方向ＣＤＭＡチャンネル上に送信された各符号チャンネルは、すべての符号チャンネルの中で直交チャンネル化を供給するためにウォルシュ関数により直交拡散され、そしてその後直角位相シフトキーイング（ＱＰＳＫ）波形によりそれらを送信するためにパイロットＰＮ数列の直角ペア（即ち、同位相及び直角位相）により拡散される。
【００１２】
順方向ＣＤＭＡチャンネルを含む符号チャンネルは、パイロットチャンネル、同期チャンネル、ページングチャンネル、多数の順方向トラフィックチャンネルから成る。典型的な順方向ＣＤＭＡチャンネルは、合計６４符号チャンネル、１パイロットチャンネル、１同期チャンネル、７ページングチャンネル及び５５順方向トラフィックチャンネルから成る。同期チャンネルは、基地局１２から移動局１０へ同期メッセージを運ぶ符号チャンネル番号３２（Ｗ３２）に割り当てられる。移動局１０は最初の時間同期を獲得するために同期チャンネルを使用し、同期チャンネルは符号化され、インターリーブされ、拡散され、そして変調されたスペクトル拡散信号である。ページングチャンネルもまた、符号化され、インターリーブされ、拡散され、そして変調されたスペクトル拡散信号であり、そして典型的に数列内の符号チャンネル番号１乃至７（Ｗ１−Ｗ７ ）に順に割り当てられる。制御情報及びページングメッセージは基地局１２によりページングチャンネル上で移動局１０に送信される。順方向トラフィックチャンネルは呼の間中ユーザ及び基地局１２から特定の移動局１０へのユーザおよび信号(signaling) トラフィックの送信のために使用される。順方向トラフィックチャンネルの最大数は同じ順方向ＣＤＭＡチャンネル上で動作している同期及びページングチャンネルの数以下の６３に等しい。しかしながら、パイロットチャンネルはＣＤＭＡ無線通信システム内の各基地局１２により常時送信される未変調の直列数列スペクトル拡散信号である。移動局１０は、コヒーレント復調のための位相基準として、順方向ＣＤＭＡチャンネルタイミング、及びアイドルハンドオフをいつ実行するかどうかを決定するためのキー基準点を取得することを含む多くの目的のためにパイロットチャンネルを使用する。順方向または逆方向ＣＤＭＡチャンネルのいずれかで送信されたデータは２０ｍｓフレーム内に分類され、１フレームはＣＤＭＡシステム内の基礎タイミング間隔である。
【００１３】
無線通信システム内の移動局と基地局との間のメッセージフロープロトコルの技術を引用する呼処理は、典型的に２部分、移動局呼処理と基地局呼処理とに分類される。ＣＤＭＡシステムでは基地局呼処理はパイロット及び同期チャンネル処理、ページングチャンネル処理、アクセスチャンネル処理及びトラフィックチャンネル処理から成る。パイロットチャンネル処理の間、基地局はパイロット信号をパイロットチャンネル上に送信する。トラフィックチャンネル処理の間、基地局はトラフィックチャンネル状態で移動局制御内にある移動局と通信するために順方向及び逆方向ＣＤＭＡトラフィックチャンネルを使用する。アクセスチャンネル処理の間、基地局は移動局がシステムアクセス状態にある間に移動局が送るメッセージを受信するためにそのアクセスチャンネルをモニタする。ページングチャンネル処理の間中、基地局は移動局アクセス状態または移動局空き状態にある移動局によりモニタされているページングチャンネル上にメッセージを送信する。ページングチャンネル上で基地局により移動局に送られた情報は、基地局と共に動作するために移動局にとって必要な情報であるオーバヘッド情報、及びある演算を行うために移動局に対する命令である指示情報を含む。オーバヘッド情報はアクセスパラメータメッセージ、ＣＤＭＡチャンネルリストメッセージ、システムパラメータメッセージ、及び近隣リストメッセージを経て送られる。指示情報は、例のみによって、基地局受信通知オーダ、チャンネル割り当てメッセージ、登録要求メッセージ、ページングメッセージ及び移動局がスロットモードでページングチャンネルをモニタしていると基地局が決定するならばスロットページングメッセージを含む、多数の種々のタイプのメッセージによって送られる。
【００１４】
他方ＣＤＭＡシステム内の移動局呼処理は４つの移動局状態、移動局初期化状態、移動局空き状態、システムアクセス状態及びトラフィックチャンネル上の移動局制御状態から成る。初期化状態では移動局はアナログまたはＣＤＭＡモード動作（移動局が多重モードの動作を支持すると仮定して）のどちらかで、使用する無線通信システムを選択して取得する。システムアクセス状態では移動局は１つまたは複数のアクセスチャンネル上で基地局にメッセージを送り、そしてそれが割り当てられるページングチャンネル上で基地局からメッセージを受信する。これらのメッセージは移動局オーダ／メッセージ応答サブステート及びページ応答サブステートを含む、システムアクセス状態の種々のサブステートにおいて移動局により送られ、そして受信される。トラフィックチャンネル状態上の移動局制御では、移動局は順方向及び逆方向ＣＤＭＡチャンネル経由で基地局と通信する。
【００１５】
移動局空き状態では、移動局はそれが割り当てられるページングチャンネルをモニタする。この状態にある間、移動局はメッセージを受信し、入来呼（即ち、着信呼）を受信し、呼（即ち、発信呼）を開始し、登録を開始しまたはメッセージ送信を開始することができる。移動局空き状態に入ると移動局はその符号チャンネル、ページングチャンネルデータレートを設定し、そしてページングチャンネル監視に従事する。ページングチャンネル監視の正確な本質は移動局がスロットモードまたは非スロットモードのいずれで動作しているかによるであろう。非スロットモードで動作している時は、移動局はそれのページングチャンネルを常にモニタする。移動局はそれがページングチャンネル上で有効なメッセージを受信する時は何時でもタイマをＴ３０ｍ 秒にリセットする。Ｔ３０ｍ 秒はシステムにより有効なページングチャンネルメッセージを受信することを可能とする最大時間である。もし有効なメッセージが受信される前にタイマが終了すると、移動局はページングチャンネルの喪失を宣言する。
【００１６】
移動局が移動局空き状態のスロットモード内で動作しているなら、それは移動局がページングチャンネルをモニタする間に第１のスロットのスタートでＴ３０ｍ 秒にタイマをセットするであろう。ＣＤＭＡシステムではページングチャンネルは８０ｍｓスロットに分割され、そしてスロットモードで動作している移動局はスロットサイクル当たり１または２スロットのみの間ページングチャンネルを典型的にモニタする。移動局はタイマを不能とし、そして一般にそれがページングチャンネルをモニタしていない時にパワー保存のためその処理を停止または縮小する。移動局はその後、たとえその特定の移動局にアドレスしなかったとしても、有効なメッセージがページングチャンネル上で受信される時は何時でもＴ３０ｍ 秒でタイマをリセットするであろう。しかしながらもし移動局がページングチャンネルをモニタしている間にタイマが終了すると、移動局はページングチャンネルの喪失を宣言するであろう。にもかかわらず動作のモードがスロットか非スロットかのどちらかでは、移動局はそのページングチャンネルの喪失を宣言して移動局初期化状態のシステム決定サブステートに入るであろう。
【００１７】
移動局が移動局空き状態にありそしていずれかの到来メッセージについてページングチャンネルをモニタしている時に、移動局はその現基地局からそしてもう１つの基地局のカバレージエリアまたはその現基地局のセクタの方に遠く進行してもよい。これが起こると、現基地局からの受信信号の品質は典型的に悪くなり、近隣の基地局またはセクタからの受信信号の品質がよくなる。したがって、現基地局からもう１つの基地局への制御の移転（即ち、アイドルハンドオフ手順）を開始するために空き状態にある移動局に対して準備が行われる。現在の無線通信システムでは、移動局が検出して、それがその現基地局よりも他の基地局からのパイロット信号を受信していること、及び信号がその現基地局のパイロット信号（典型的にアクティブパイロット信号と呼ばれる）よりも十分に強いことを検出すると、移動局は新基地局へのアイドルハンドオフを開始するであろう。しかしながらパイロット信号の受信信号強度における変動は、その現基地局からもう１つの基地局の方へ有意に進む移動局の移動よりも他の理由で発生する可能性がありそしてしばしば起こる。例えば、移動局の位置の僅かな変動は、マルチパス伝播環境における有意な変化をもたらすことができる。これが生起した時、もしアクティブパイロットの受信信号強度が、厳しいフェージング条件のために移動局により追跡されているもう１つのパイロットに比較して小さい値に急速に降下すると、不必要で望ましくないアイドルハンドオフが開始される可能性がある。一度厳しいフェージング状態が静まる(subside)と、移動局が最初の基地局に戻ってさらにもう１つのアイドルハンドオフを開始するとき、この事態はしばしば悪化させられる。
【００１８】
したがって当分野の技術者は、現行のアイドルハンドオフ・アルゴリズムが、パイロット信号の受信信号強度における束の間の(fleeting)変動のために、不必要なアイドルハンドオフが開始されないことを保証し損なう弱点を有することを認めるであろう。さらに、移動局がアイドルハンドオフを開始する時に、それはスロットモードでは動作できず、それによってその電池または他の電源から不必要なパワーを引き出して、システム資源は重荷を負わされ(taxed) 、そしてそれにアドレスされたメッセージを受信し損なう可能性が増加する。よって、パイロットチャンネルの受信信号強度における通過変動のために行われていることから望ましくなく不必要なアイドルハンドオフを妨げる何かの手段が必要である。
【００１９】
概要
本発明は無線通信システムにおいて移動局のアイドルハンドオフを開始するためのシステム及び方法に向けられ、この中で第１の基地局により放射された第１のパイロット信号の第１及び第２のサンプルが得られ、第１のサンプルは第１の時刻で生起しそして第２のサンプルは第２の時刻で生起し、第２の基地局により放射された第２のパイロット信号の第３及び第４のサンプルが得られ、第３のサンプルは第１の時刻で生起しそして第４のサンプルは第２の時刻で生起し、第２及び第４のサンプルの総強度と位置重み付け項(position-weighting term) との間の差の合計が第１の設計パラメータ以下かどうかが決定され、そして前記第１の基地局から前記第２の基地局への前記移動局のアイドルハンドオフは、もし合計が第１の設計パラメータ以下であれば開始される。
【００２０】
好ましい実施例の詳細な説明
本発明の特徴，目的及び長所は、ここで及び全体を通して付記される参照符号を有する図面と関連して、下に述べる詳細説明からさらに明白になるであろう。
【００２１】
マルチパス伝播環境内の急速な変動は現行の無線通信システムにおける不必要なアイドルハンドオフのトリガとなり得るので、本発明はアイドルハンドオフを開始するかどうかを決定するための改良された方法及びシステムを提供する。この発明の好ましい実施例では、これはＩＳ−９５構成のＣＤＭＡシステムにおける位置重み付けアイドルハンドオフ・アルゴリズムの使用によって達成される。しかしながら本発明はＩＳ−９５構成のまたはＣＤＭＡシステムさえも限定されず、アイドルハンドオフのために準備されるいずれかの無線通信システムに発明能力を行使せずに実施されることができる。好ましい実施例の記述が以下に続く。
【００２２】
上に注意したように、移動局空き状態では移動局はアクティブパイロットの信号強度を連続的にモニタし、そして非スロットモードで動作中に移動局の付近の他の基地局からのパイロットチャンネル信号を探索する。その特定の移動局について適切なページングチャンネルスロットに限定されたモニタ及び探索によって、スロットモードでの動作中は同じことが真実である。ＣＤＭＡシステムにおける他のチャンネルと同様に、パイロットチャンネルはゼロオフセットＰＮシーケンスに関してそれらの位相または時間オフセットにより確認される。したがってパイロットチャンネルサーチパラメータは時間オフセットによって表現され、そして３つのセットに分割される。アクティブセットは、移動局がメッセージを現にモニタしている順方向ＣＤＭＡチャンネルのそのページングチャンネルのパイロットオフセットを備えられる。近接セットは、アイドルハンドオフについて恐らく候補者である近接基地局のパイロットチャンネルについてパイロットオフセットを備えられる。近接セットのメンバーは、移動局によりページングチャンネル上で周期的に受信される近接リストメッセージのようなメッセージ内に指定される。第３のセットは残存セットであり、それはアクティブ及び近接セットのメンバーを除くが現行のＣＤＭＡ周波数割り当て内のすべての可能なパイロットオフセットを備えられる。移動局は典型的に少なくとも２０パイロットオフセットのサイズを支持する。
【００２３】
基地局はまた、パイロットオフセットのほかに、各パイロットセットについてサーチウィンドウを指定する。換言すれば、基地局はＰＮオフセットの範囲、または移動局が各々のセット内の各パイロットのマルチパス成分を探索するためのウィンドウを指定する。一度移動局が十分に強い信号でパイロットを検出して、そのパイロットを追跡し始めると、移動局はそれが受信しているパイロットの各マルチパス成分についての記録を作成し、そして近接または残存セット内の他のパイロットについてのＰＮスペースを探索し続けるであろう。ＰＮスペースの次の探索では、移動局は、それが記録を作成した各パイロットの最も早く到着しているマルチパス成分の周囲に、その走査受信機のサーチウィンドウを集中するであろう。移動局は、チップ当たりの受信パイロットエネルギＥＸｃ対高々ｋの使用可能なマルチパス成分の総受信スペクトル密度（ノイズ及び信号）ＩＸｃの比率を加算することにより、与えられたサーチウィンドウ内の各パイロットＸの総強度ＥＸを測定する。ここでｋは移動局により支持される復調要素の数である。使用可能なマルチパス成分は追跡されるのに十分に強いものであり、そしてもし使用されるならば、それは禁止的なフレームエラーやパワー制御ビットエラーを引き起こさないであろう。探索されている各パイロットＸについての到着時刻Ｔｉ は、移動局アンテナコネクタで測定されるように、最も早い到着のパイロットの使用可能なマルチパス成分の生起時刻であり、そしてＰＮチップのユニット内の移動局の基準時刻に関して測定される。よって、受信パイロットマルチパス成分の位相またはＰＮオフセットはその成分の到着時刻に相当する。移動局は以下の関係式からパイロット位相φＸ を計算する：
【数１】
φＸ ＝（Ｔｉ ＋６４＊ＰＩＬＯＴ ＰＮ）ｍｏｄ２１５
ここでＰＩＬＯＴ ＰＮは探索されているパイロットＸのＰＮシーケンスオフセット・インデックスである。
【００２４】
また上で注目されたのは、アイドルハンドオフが実行されるべきであるかどうかを決定するために現行の無線通信システムに従前のアルゴリズムが使用された。即ち、近くの基地局により発射されたパイロットチャンネルの信号強度がアクティブパイロットチャンネル信号の信号強度よりも十分に強いことを移動局が決定するときは何時でもアイドルハンドオフが開始される。このエネルギ比較のアルゴリズムは典型的に以下のように数学的に表現される：
【数２】
ＥＡ（Ｔｉ）−ＥＢ（Ｔｉ）＜Ｈ
であるならば、そのとき基地局Ｂへのアイドルハンドオフを開始せよ。ここでＥＡはアクティブ基地局により発射されたパイロットチャンネルの移動局での信号強度ｄＢであり、ＥＢは基地局Ｂにより発射されたパイロットチャンネルの移動局での信号強度ｄＢであり、そしてＨは設計パラメータである。Ｈの典型的な値は２であり、もしアクティブパイロット信号の信号強度が基地局Ｂからのパイロット信号の強度の１．５（即ち、１０２／１０）倍以下の何かであればアイドルハンドオフが開始されるであろうことを指示している。
【００２５】
本発明はアクティブ及び潜在的に新しい基地局に関して移動局の位置に従ってアルゴリズムを加重する変数を加算することにより従前のアルゴリズムに改良を加える。加算されてもよい他の変数は、パイロットチャンネルの最も早い到着のマルチパス成分が対応する基地局から移動局への最短距離を伝播した信号に相当しない状態を説明する。この状態の信頼性を改善するために、各パイロットチャンネルのための位置変数は最も早い到着のマルチパス成分強度対各パイロットチャンネルについての総強度の比率により掛け算される。数学的に、両タイプの変数で改良されたアルゴリズムは以下のように表現されることができる：
【数３】
［ＥＡ（ｔｉ）−ＥＢ（ｔｉ）］＋［Ｍ×（ＰＯＳＡ（ｔｉ）−ＰＯＳＡ（ｔｉ−１））×（ＥｅＡ（ｔｉ）/ＥＡ（ｔｉ））−Ｎ×（ＰＯＳＢ（ｔｉ）−ＰＯＳＢ（ｔｉ−１））×（ＥｅＢ（ｔｉ）/ＥＢ（ｔｉ））］＜Ｈ
であるならば、そのときアイドルハンドオフを開始せよ。ここでＥＡ（ｔｉ）及びＥＢ（ｔｉ）はそれぞれアクティブパイロットチャンネル及び基地局Ｂパイロットチャンネルのパイロットサンプル時間ｔｉでの信号強度ｄＢであり、ＰＯＳＡ（ｔｉ）及びＰＯＳＡ（ｔｉ−１）はそれぞれパイロットサンプル時間ｔｉ及びｔｉ−１にアクティブ基地局Ａからの移動局により受信された最も早い到着の使用可能なマルチパス信号に関連する時間または位相オフセット（即ち、位置）であり、ｔｉ−１は前の移動局サンプル時間を示し、ＰＯＳＢ（ｔｉ）およびＰＯＳＢ（ｔｉ−１）はそれぞれパイロットサンプル時間ｔｉ及びｔｉ−１に基地局Ｂからの移動局により受信された最も早い到着の使用可能なマルチパス信号に関連する時間または位相オフセット（即ち、位置）であり、ＥｅＡ（ｔｉ）及びＥｅＢ（ｔｉ）はパイロットサンプル時間ｔｉにそれぞれアクティブ基地局Ａ及び基地局Ｂから最も早い到着の使用可能なマルチパスパイロットチャンネル信号の信号強度ｄＢであり、そしてＭ、Ｎ及びＨは設計パラメータである。
【００２６】
設計パラメータＨは最初のハンドオフアルゴリズムのものと同じものである。しかしながら設計パラメータＭ及びＮは、改善されたアルゴリズムの各位置項(position term) に与えられた重みに影響を与えることによりアイドルハンドオフが開始されるであろう時に、システムエンジニアがさらに制御できるようにする。例えば、もしシステムエンジニアがアイドルハンドオフを開始するかどうかの決定に等しく影響を与える各位置項を持とうと努めるならば、その時ＭはＮと等しく設定されるであろう。換言すれば、もしシステムエンジニアがその決定にさらに影響を及ぼすアクティブ基地局に関してその位置を持とうと努めるならば、その時ＭはＮよりも大きく設定されるであろう。設計パラメータのための典型的な値は；Ｍ＝約０．８乃至約１．１；Ｎ＝約１．０乃至約１．５；そしてＨ＝約２．０乃至約３．０である。この発明の好ましい実施例ではＭ＝１．０，Ｎ＝０．９そしてＨ＝２．０である。
【００２７】
今図２Ａ及び２Ｂを参照して、この発明が無線通信システムにおけるアイドルハンドオフの決定をいかに果たすかの実例が描かれる。図２Ａでは、時刻ｔｉ−１に移動局は位置２０５にあり、それは基地局Ａ２０３、アクティブ基地局、及び基地局Ｂ２０４の理想化されたカバレージエリア２０１，２０２内にある。時刻ｔｉで、移動局は移動しなかったので位置２０５と同じ位置２０６にある。よって、移動局から基地局Ａへの距離は時刻ｔｉ−１２０７と時刻ｔｉ２０８とで変化しなかった。同じことは移動局から基地局Ｂへの時刻ｔｉ−１２０９及びｔｉ２１０での距離にあてはまる。したがって当分野の技術者は、このシナリオでは改良されたアルゴリズム内の両方の位置項はゼロ値を有し、そしてアイドルハンドオフを開始するかどうかの決定は従前のハンドオフアルゴリズムに従ってなされるであろうことを認めるであろう。にもかかわらず図２Ｂでは、移動局はパイロットチャンネルサンプル時間の間にアクティブ基地局２０３の方へ移動した。したがって、時刻ｔｉ２０８での移動局から基地局Ａ２０３への距離は、時刻ｔｉ−１２０７でのそれの距離に比例して変化した。距離２０７は距離２０８よりも大きい。同様に、時刻ｔｉ２１０での移動局から基地局Ｂ２０４への距離は、時刻ｔｉ−１２０９でのその距離に比例して変化した。移動局はパイロットチャンネルサンプル時間の間に基地局Ｂ２０４からさらに離れて移動したので、距離２０９は距離２１０よりも小さい。時刻ｔｉ−１で前のサンプルについての伝播時間に比較してより短距離を伝播した信号であるので、時刻ｔｉで基地局Ａから移動局に到着している第１の使用可能なマルチパス信号の位相オフセットが、時刻ｔｉ−１で基地局Ａから到着した第１の使用可能なマルチパス信号の位相オフセットよりも恐らく小さいであろうために、これはゼロ以下の値を有している改良されたアルゴリズムのアクティブ基地局Ａの位置項に結果として表れる。同様に、時刻ｔｉ−１で前のサンプルとしての伝播時間に比較してより長距離を伝播した信号であるので、時刻ｔｉで基地局Ｂから移動局に到着している第１の使用可能なマルチパス信号の位相オフセットが、時刻ｔｉ−１で基地局Ｂから到着した第１の使用可能なマルチパス信号の位相オフセットよりも恐らく大きいであろうために、基地局Ｂの位置項はゼロ以上の値を有するであろう。前述の起りそうな結果はアイドルハンドオフの開始に対する重み付けである。同じ原理は、改良されたアルゴリズムが基地局Ｂ２０４へのアイドルハンドオフを開始する方に恐らく重み付けされるであろうことを除いて、アクティブ基地局２０３から離れて基地局Ｂ２０４の方への移動に関して適用される。
【００２８】
当分野における技術を有するものは、好ましい実施例の前述の記載から、この発明は移動局が空き状態にある間にハンドオフを実行するより信頼できる方法及びシステムを提供することを容易に認めるであろう。したがってこの発明は、移動局のために予定されたメッセージがミスされず、余分な移動局電池パワーが消費されず、そして望ましくないまたは不注意のアイドルハンドオフのためにシステム資源が不必要に重荷を負わされないであろうことを保証する手助けとなる。好ましい実施例の前の記載は、当分野の通常の技術者が本発明を製造または使用できるようにするためにのみ提供される。しかしながらこれらの実施例への種々の変更は、当分野の技術者には容易に明白になるであろうし、そしてこの中に定義された包括的な原理は発明的能力を使用せずに他の実施例に適用されてもよい。例えば、当分野の技術者は、ＣＤＭＡシステムの文脈で上述の改良されたアイドルハンドオフを提供するための方法及びシステムが、セルラシステム、無線ローカルループ（ＷＬＬ）電話システム、及び発明的能力を使用しない同様のもののようないかなる無線通信システムにおいても容易に実施されることができることを認めるであろう。セルラシステムは例としてのみであり、ＡＭＰＳ（アナログ）、ＩＳ−５４（北米ＴＤＭＡ）、ＧＳＭ（世界的なＴＤＭＡ）、及びＩＳ−９５（北米ＣＤＭＡ）を含む。よって、本発明はこの中に示され及び記述された特定の実施例に限定されるべきではないが、しかしこの中で開示またはクレームされた原理及び新規な特徴と矛盾しない最も広い範囲が許容されるべきである。
【図面の簡単な説明】
【図１】  例示的なセルラシステムの図である。
【図２Ａ】  無線通信システムにおいてアイドルハンドオフを開始するかどうかの決定がこの発明によりいかに遂行されるかを図示する。
【図２Ｂ】  無線通信システムにおいてアイドルハンドオフを開始するかどうかの決定がこの発明によりいかに遂行されるかを図示する。
【符号の説明】
１０…移動局  １２…基地局  １４…基地局コントローラ  １６…移動交換局  １８…公衆電話交換ネットワーク
【図１】
0004615801.tif 000002
【図２Ａ】
0004615801.tif 000003
【図２Ｂ】
0004615801.tif 000004